(57)【要約】【課題】受信ステーションにおいて受信する受信信号の一部を形成する干渉を補償または抑制する改良された方法を、受信ステーションにおいて提供すること。【解決手段】受信シーケンスを受信する受信回路に対する装置であって、該装置は、該受信シーケンスのノイズ成分の指示を受信するように適合された、ノイズ成分特性決定器であって、該ノイズ成分特性決定器は、該ノイズ成分の特性である、ノイズ成分特性を決定するように構成されている、ノイズ成分特性決定器と、該ノイズ成分特性決定器によって決定された該ノイズ成分特性の指示を受信するように適合された、フィルタ特性選択器であって、該フィルタ特性選択器は、該ノイズ成分特性に応答するフィルタ特性を選択するように構成されている、フィルタ特性選択器とを備えている、装置。【選択図】図２
2008199602.tif 000002
【特許請求の範囲】
【請求項１】
受信シーケンスを受信する受信回路に対する装置であって、該装置は、
該受信シーケンスのノイズ成分の指示を受信するように適合された、ノイズ成分特性決定器であって、該ノイズ成分特性決定器は、該ノイズ成分の特性である、ノイズ成分特性を決定するように構成されている、ノイズ成分特性決定器と、
該ノイズ成分特性決定器によって決定された該ノイズ成分特性の指示を受信するように適合された、フィルタ特性選択器であって、該フィルタ特性選択器は、該ノイズ成分特性に応答するフィルタ特性を選択するように構成されている、フィルタ特性選択器と
を備えている、装置。
【請求項２】
前記受信シーケンスの前記ノイズ成分を推定するように構成されたノイズサンプル推定器をさらに備え、前記ノイズ成分特性決定器が受信するように適合された、該ノイズ成分の指示は、該ノイズサンプル推定器によって形成された該ノイズ成分の推定を含む、請求項１に記載の装置。
【請求項３】
前記ノイズ成分推定器は、受信シーケンスが通信されるチャネルのチャネルインパルス応答を決定するようにさらに構成され、前記ノイズ成分の推定は、該チャネルインパルス応答を利用する、請求項２に記載の装置。
【請求項４】
前記ノイズ成分特性決定器によって決定された前記ノイズ成分特性は、前記ノイズ成分の自己相関推定を含む、請求項１に記載の装置。
【請求項５】
前記ノイズ成分特性決定器によって決定された前記自己相関推定は、第１の自己相関関数計算の絶対値を含む、請求項４に記載の装置。
【請求項６】
前記ノイズ成分特性決定器は、トレーニングシーケンスを受信するようにさらに適合され、前記自己相関推定は、該トレーニングシーケンスを用いて形成される、請求項４に記載の装置。
【請求項７】
前記フィルタ特性選択器によって選択された、前記受信シーケンスの表現および前記フィルタ特性の指示を受信するように適合されたフィルタをさらに含み、該フィルタは、該フィルタ特性選択器によって選択された該フィルタ特性に従った該受信シーケンスをフィルタするように構成される、請求項１に記載の装置。
【請求項８】
前記フィルタは、線形予測誤差フィルタを含む、請求項７に記載の装置。
【請求項９】
前記線形予測誤差フィルタは、マルチタップフィルタを含む、請求項８に記載の装置。
【請求項１０】
前記フィルタを形成する前記線形予測誤差フィルタは、フィルタ係数によって定義され、ここでは、前記フィルタ特性選択器によって選択された前記フィルタ特性は、該フィルタ係数を決定する、請求項８に記載の装置。
【請求項１１】
前記フィルタ特性選択器によって選択された前記フィルタ特性は、前記受信シーケンスの前記ノイズ成分特性が選択されたレベルを超えるときには、前記フィルタに非単一のフィルタリングを提示させる値となる、請求項８に記載の装置。
【請求項１２】
前記フィルタ特性選択器によって選択された前記フィルタ特性は、前記受信シーケンスの前記ノイズ成分特性が選択されたレベル内であるときには、前記フィルタに単一のフィルタリングを提示させる値となる、請求項１１に記載の装置。
【請求項１３】
前記フィルタは、ＩＮＷＦ、すなわち適応入力ノイズ白色化フィルタを含む、請求項８に記載の装置。
【請求項１４】
前記ＩＮＷＦは、前記フィルタ特性選択器によって選択された前記フィルタ特性に応答して、交互に電力を供給されるか、またはターンオフにされる、請求項１３に記載の装置。
【請求項１５】
受信ステーションにおいて受信された受信シーケンス上で動作する方法であって、該方法は、
該受信シーケンスのノイズ成分の特性である、ノイズ成分特性を決定する動作と、
該ノイズ成分特性に応答するフィルタ特性を選択する動作と、
検出する動作の間に選択された該フィルタ特性に応答する適応入力ノイズ白色化フィルタを動作する動作と
を包含する、方法。
【請求項１６】
前記受信シーケンスの前記ノイズ成分を推定する初期動作をさらに含む、請求項１５に記載の方法。
【請求項１７】
前記フィルタ特性を選択する前記動作は、前記受信シーケンスの前記ノイズ成分の自己相関推定を含む、請求項１５に記載の方法。
【請求項１８】
前記フィルタ特性を選択する前記動作は、前記自己相関を推定する該自己相関が閾値を超えるときには、ノイズホワイトナーの該フィルタ特性を選択することを含む、請求項１７に記載の方法。
【請求項１９】
前記フィルタ特性を選択する前記動作は、前記自己相関を推定する前記動作の間に推定された該自己相関が閾値内であるときには、前記フィルタ特性を、ノイズ白色化のないように選択することを含む、請求項１７に記載の方法。
【請求項２０】
受信シーケンスを受信する受信ステーションの適応入力ノイズ白色化フィルタを動作する方法であって、該方法は、
該受信シーケンスのノイズ成分が第１の特性であるときに、ノイズ白色化を導入する動作を起こすために該適応入力ノイズ白色化フィルタに電力を供給する動作と、
該受信シーケンスの該ノイズ成分が第１の特性以外の特性であるときに、該適応入力ノイズ白色化フィルタに、ノイズ白色化なしで該受信シーケンスを通過させる動作と
を包含する、方法。
【発明の詳細な説明】
【技術分野】
【０００１】
本発明は、概してセルラーシステムのトランシーバの受信部分などの受信ステーションに対する方法であって、該方法によって、受信信号に含まれる干渉を抑制する方法に関する。より具体的には、本発明は、受信ステーションの適応入力ノイズ白色化フィルタを動作する装置および関連方法に関する。受信信号が顕著な干渉成分を含むときには、該フィルタは、干渉を白色化させるように電力を供給され、または動作され、そうではない場合には、白色化の導入を行わない。
【０００２】
閾値が、入力ノイズ白色化フィルタを動作させるか否かを選択するために用いられる。閾値の適当な設定を通じて、フィルタは、白色化が受信データの情報の回復を容易にするときには動作可能となり、白色化の導入が必要ではない、または情報の回復に有用ではないときには、白色化を導入しないように動作可能となる。
【背景技術】
【０００３】
デジタルセルラーおよび他の無線の通信システムは、世界中の人々が居住する地域の大部分を包含するように配置される。多くの人々にとって、そのような通信システムへのアクセスは、実際的に必要である。双方向通信は、ボイス通信サービスおよびデータ通信サービスの両方を実現するために、一般的にセルラー通信システムにおいて提供される。
【０００４】
セルラー通信システムは、その割り当てられた帯域幅、すなわち通信サービスの実現に応じて用いられる、ネットワークインフラストラクチャとモバイルステーションとの間の通信のために通信システムに割り当てられた電磁スペクトルの一部分を、相対的に効果的に用いる。セルラー通信システムによって包含される地理的なエリアは、セルと呼ばれる部分に分割され、セルのそれぞれは、ベーストランシーバステーションによって規定される。相対的に低電力の信号が、ベーストランシーバステーションと関連付けられたセル内に位置するモバイルステーションとの間の通信を実現するために生成される。また、セル再使用スキームが用いられ、セル再使用パターンまたはセル再使用スキームに従って、同一のチャネルが、複数のセルのうちの異なるセルにおいて再使用される。セル再使用スキームに応じてなされたチャネル割当ては、異なるセルにおいて同時に生成される信号の間の干渉を制限するためになされるが、干渉は、時に発生する。干渉は、同一チャネル干渉および隣接チャネル干渉の両方を含む。干渉が顕著で抑制されない、または補償されない場合には、干渉は、受信ステーションの通信性能を低下させる。
【０００５】
同一チャネル干渉は、干渉信号が検出されるセルにおいて用いられるチャネルと同一のチャネルを用いる、すなわち「再使用」する別のセルにおいて送信される、同時に生成された信号が原因となる干渉を指す。また、隣接チャネル干渉は、通常は、異なるチャネルを用いる別の、例えば隣接するセルにおいて送信される、同時に生成された信号が原因となる干渉を指す。しかし、そのような他のセルにおいて送信される信号の信号強度があまりに強く、干渉を起こすエイリアシングの原因となる。
【０００６】
受信ステーションにおいて受信する受信信号に含まれる干渉を補償する、さまざまなメカニズムが用いられ、また提案されてきた。例えば、適応ノイズ白色化フィルタ（ＩＮＷＦ）の使用が、干渉を抑制するために提案される。ＩＮＷＦは、受信器フィルタとともに用いられる。受信器フィルタは、一部の隣接チャネル干渉を通過させるために十分に幅広い通過帯域を有し、ＩＮＷＦは、干渉を白色化するように動作する。狭い受信器フィルタが、隣接チャネル干渉の大半を排除するが、その狭小化が、同一チャネル干渉を補償するための受信ステーションにおけるイコライザ動作を低下させる。
【発明の開示】
【発明が解決しようとする課題】
【０００７】
要するに、隣接チャネル干渉を抑制するための最良の方法における適応入力ノイズ白色化フィルタの使用は、同一チャネル干渉を抑制または補償するための、受信ステーションの他の要素の性能と相容れない。従って、受信ステーションにおいて受信する受信信号の一部を形成する干渉を補償または抑制する改良された方法を、受信ステーションにおいて提供する必要がある。
【課題を解決するための手段】
【０００８】
本発明は、以下の手段を提供する。
【０００９】
（項目１）
受信シーケンスを受信する受信回路に対する装置であって、該装置は、
該受信シーケンスのノイズ成分の指示を受信するように適合された、ノイズ成分特性決定器であって、該ノイズ成分特性決定器は、該ノイズ成分の特性である、ノイズ成分特性を決定するように構成されている、ノイズ成分特性決定器と、
該ノイズ成分特性決定器によって決定された該ノイズ成分特性の指示を受信するように適合された、フィルタ特性選択器であって、該フィルタ特性選択器は、該ノイズ成分特性に応答するフィルタ特性を選択するように構成されている、フィルタ特性選択器と
を備えている、装置。
【００１０】
（項目２）
上記受信シーケンスの上記ノイズ成分を推定するように構成されたノイズサンプル推定器をさらに備え、上記ノイズ成分特性決定器が受信するように適合された、該ノイズ成分の指示は、該ノイズサンプル推定器によって形成された該ノイズ成分の推定を含む、項目１に記載の装置。
【００１１】
（項目３）
上記ノイズ成分推定器は、受信シーケンスが通信されるチャネルのチャネルインパルス応答を決定するようにさらに構成され、上記ノイズ成分の推定は、該チャネルインパルス応答を利用する、項目２に記載の装置。
【００１２】
（項目４）
上記ノイズ成分特性決定器によって決定された上記ノイズ成分特性は、上記ノイズ成分の自己相関推定を含む、項目１に記載の装置。
【００１３】
（項目５）
上記ノイズ成分特性決定器によって決定された上記自己相関推定は、第１の自己相関関数計算の絶対値を含む、項目４に記載の装置。
【００１４】
（項目６）
上記ノイズ成分特性決定器は、トレーニングシーケンスを受信するようにさらに適合され、上記自己相関推定は、該トレーニングシーケンスを用いて形成される、項目４に記載の装置。
【００１５】
（項目７）
上記フィルタ特性選択器によって選択された、上記受信シーケンスの表現および上記フィルタ特性の指示を受信するように適合されたフィルタをさらに含み、該フィルタは、該フィルタ特性選択器によって選択された該フィルタ特性に従った該受信シーケンスをフィルタするように構成される、項目１に記載の装置。
【００１６】
（項目８）
上記フィルタは、線形予測誤差フィルタを含む、項目７に記載の装置。
【００１７】
（項目９）
上記線形予測誤差フィルタは、マルチタップフィルタを含む、項目８に記載の装置。
【００１８】
（項目１０）
上記フィルタを形成する上記線形予測誤差フィルタは、フィルタ係数によって定義され、ここでは、上記フィルタ特性選択器によって選択された上記フィルタ特性は、該フィルタ係数を決定する、項目８に記載の装置。
【００１９】
（項目１１）
上記フィルタ特性選択器によって選択された上記フィルタ特性は、上記受信シーケンスの上記ノイズ成分特性が選択されたレベルを超えるときには、上記フィルタに非単一のフィルタリングを提示させる値となる、項目８に記載の装置。
【００２０】
（項目１２）
上記フィルタ特性選択器によって選択された上記フィルタ特性は、上記受信シーケンスの上記ノイズ成分特性が選択されたレベル内であるときには、上記フィルタに単一のフィルタリングを提示させる値となる、項目１１に記載の装置。
【００２１】
（項目１３）
上記フィルタは、ＩＮＷＦ、すなわち適応入力ノイズ白色化フィルタを含む、項目８に記載の装置。
【００２２】
（項目１４）
上記ＩＮＷＦは、上記フィルタ特性選択器によって選択された上記フィルタ特性に応答して、交互に電力を供給されるか、またはターンオフにされる、項目１３に記載の装置。
【００２３】
（項目１５）
受信ステーションにおいて受信された受信シーケンス上で動作する方法であって、該方法は、
該受信シーケンスのノイズ成分の特性である、ノイズ成分特性を決定する動作と、
該ノイズ成分特性に応答するフィルタ特性を選択する動作と、
検出する動作の間に選択された該フィルタ特性に応答する適応入力ノイズ白色化フィルタを動作する動作と
を包含する、方法。
【００２４】
（項目１６）
上記受信シーケンスの上記ノイズ成分を推定する初期動作をさらに含む、項目１５に記載の方法。
【００２５】
（項目１７）
上記フィルタ特性を選択する上記動作は、上記受信シーケンスの上記ノイズ成分の自己相関推定を含む、項目１５に記載の方法。
【００２６】
（項目１８）
上記フィルタ特性を選択する上記動作は、上記自己相関を推定する該自己相関が閾値を超えるときには、ノイズホワイトナーの該フィルタ特性を選択することを含む、項目１７に記載の方法。
【００２７】
（項目１９）
上記フィルタ特性を選択する上記動作は、上記自己相関を推定する上記動作の間に推定された該自己相関が閾値内であるときには、上記フィルタ特性を、ノイズ白色化のないように選択することを含む、項目１７に記載の方法。
【００２８】
（項目２０）
受信シーケンスを受信する受信ステーションの適応入力ノイズ白色化フィルタを動作する方法であって、該方法は、
該受信シーケンスのノイズ成分が第１の特性であるときに、ノイズ白色化を導入する動作を起こすために該適応入力ノイズ白色化フィルタに電力を供給する動作と、
該受信シーケンスの該ノイズ成分が第１の特性以外の特性であるときに、該適応入力ノイズ白色化フィルタに、ノイズ白色化なしで該受信シーケンスを通過させる動作と
を包含する、方法。
【００２９】
（摘要）
セルラー通信システムのモバイルステーションまたは他のトランシーバなどの受信ステーションの受信部分のための装置および関連方法。選択は、適応入力ノイズ白色化フィルタによって提示されるフィルタ特性からなされる。ノイズ推定器は、ノイズシーケンスのノイズ成分を推定する。自己相関推定器は、ノイズ成分の自己相関を推定する。自己相関が閾値を上回るか否かに関する決定がなされる。上回る場合には、フィルタ特性は、受信したシーケンスに白色化ノイズを導入するように、入力ノイズ白色化フィルタを動作させる。
【発明を実施するための最良の形態】
【００３０】
無線または他の通信システムにおいて動作可能な受信ステーションに関連したこの背景情報を考慮して、本発明の意義のある改良が考案された。
【００３１】
従って、本発明は、セルラーシステムトランシーバの受信部分などの受信ステーションのための、受信ステーションにおいて受信される受信信号に含まれる干渉を補償する、装置および関連方法を有利に提供する。
【００３２】
本発明の実施形態の動作を通じて、入力ノイズ白色化フィルタアセンブリが、受信ステーションにおける情報の回復を容易にするために提供される。
【００３３】
本発明の実施形態のさらなる動作を通じて、受信ステーションの適応入力ノイズ白色化フィルタ（ＩＮＷＦ）を動作する方法が提供される。
【００３４】
本発明の一局面において、適応入力ノイズ白色化フィルタは、干渉が受信信号の大部分を形成するときに動作される。また、隣接チャネル干渉または同一チャネル干渉が相対的に低いときには、該フィルタは、電力を供給されないか、または白色化ノイズを導入しない。
【００３５】
本発明の別の局面において、受信シーケンスが、受信ステーションにおいて検出される。ノイズ推定器は、受信シーケンスのノイズ成分を推定する。ノイズ成分の推定は、例えばチャネルインパルス応答および公知のトレーニングシーケンスを使用してなされる。
【００３６】
本発明の別の局面において、自己相関推定が、推定されたノイズ成分から形成される。高い自己相関推定は、相当なノイズ成分を有する受信信号を示す。また、逆に、低い値の自己相関推定は、小さな、または無視できるようなノイズ成分を有する受信信号を示す。
【００３７】
本発明の別の局面において、自己相関推定は、フィルタ特性選択器に提供される。フィルタ特性選択器は、自己相関推定と閾値とを比較する。比較に応答して、受信シーケンスの表現を受信するために、一列に配置されるフィルタによって示されるフィルタ特性に関して選択がなされる。フィルタ特性選択器は、自己相関推定が閾値を上回る場合にフィルタによって示される、フィルタ特性を選択する。そうでない場合には、フィルタ特性選択器によってフィルタ特性は選択されない、すなわちフィルタリングなしの（ｎｏ−ｆｉｌｔｅｒｉｎｇ）特性が選択される。
【００３８】
フィルタ特性選択器によって選択された特性は、例えば、フィルタ特性を、線形予測誤差フィルタ（ＬＰＦ）のフィルタ特性であるようにする。
【００３９】
本発明の別の局面において、適応入力ノイズ白色化フィルタは、ノイズの白色化を選択可能なように起こすか、または適用される受信シーケンスのノイズの白色化を起こさない特性となるように提供される。すなわち、該フィルタは、ノイズに加えて入力干渉を白色化する、あるいは受信シーケンスを白色化しない、適応可能な特性となる。
【００４０】
本発明の別の局面において、単一ではない（ｏｔｈｅｒ−ｔｈａｎ−ｕｎｉｔａｒｙ）フィルタリング特性を示す方法において動作されるときには、受信したシーケンス信号のスペクトルを平らにする、適応入力ノイズ白色化フィルタが提供される。受信したシーケンス信号が、隣接チャネルまたは同一チャネルのいずれであろうと顕著なノイズ成分を示さないときには、白色化フィルタ動作は、受信したシーケンス信号のスペクトルを平らにするためには要求されない。また、入力ノイズ白色化フィルタは、入力信号の白色化フィルタを提供するように動作可能ではない。
【００４１】
本発明の別の局面において、受信ステーションの受信部分の受信チェーンは、適応入力ノイズ白色化フィルタと一列に配列される受信器フィルタを含み、それらのフィルタ群は、一緒に、イコライザ要素とともに一列に配列される。適応入力ノイズ白色化フィルタの使用は、受信器フィルタが、それ以外では許可される、より幅広い帯域幅通過帯域になることを可能にする。受信器フィルタは、より多くの量の隣接チャネル干渉を通過させるが、干渉が顕著である場合には、ＩＮＷＦが、信号を白色化するように動作可能となり、これによって、ノイズに加えて入力干渉を白色化することにより、隣接干渉を抑制する。そのような動作は、受信チェーン部分において受信する受信シーケンスの情報コンテンツを回復する、イコライザ動作を容易にする。
【００４２】
従って、これらおよび他の局面において、受信シーケンスを受信する受信回路に、装置および関連方法が提供される。ノイズ成分特性決定器（ｄｅｔｅｒｍｉｎｅｒ）は、受信シーケンスのノイズ成分の指示を受信するように適合される。ノイズ成分特性決定器は、ノイズ成分の特性であるノイズ成分特性を決定するように構成される。フィルタ特性選択器は、ノイズ成分特性決定器によって決定されたノイズ成分特性の指示を受信するように適合される。フィルタ特性選択器は、ノイズ成分特性に応答するフィルタ特性を選択するように構成される。
【００４３】
故に、まず図１を参照すると、全体が１０で示される無線通信システムが、モバイルステーション、例えばモバイルステーション１２などとの通信を提供する。例示的な実装において、通信システムは、複数の間隔を置いた空間のステーションを含む、ネットワークインフラストラクチャを有するセルラー通信システム、すなわち多重アクセスモバイル無線通信システムを形成する。ここで、ネットワークインフラストラクチャは、１４で表され、単一のベーストランシーバステーション（ＢＴＳ）１６は、ネットワークインフラストラクチャの一部として表される。より一般的には、通信システム１０は、ここではステーション１２および１６である一組の通信ステーションを形成する、任意のさまざまな通信システムを表し、ここでは、通信された信号が、該信号に導入された歪みを有するように影響を受ける。さらに、以下の例示的な動作の記述は、ダウンリンク通信、すなわちベーストランシーバステーションからモバイルステーション１２へのデータの通信に関連して記述される。反対の、すなわちアップリンクの方向に通信されたデータの動作の記述は、類似している。従って、以下の記述は、単なる例示である。本発明の実施形態は、任意のさまざまな無線およびその他の通信システムにおいて同様に実装可能である。
【００４４】
矢印２４は、ベーストランシーバステーションによる、モバイルステーション１２へのデータ、ここでは、一連のデータシンボルの通信を表す。矢印２６および２８は、それぞれが、モバイルステーションへの通信の間にデータに導入された、隣接チャネル干渉および同一チャネル干渉を表す。データシーケンスは、モバイルステーションにおいて受信されたときには、本明細書において、時に受信シーケンスとして参照され、データシーケンスと、隣接チャネル干渉と、同一チャネル干渉とから形成される成分部分を含む。隣接チャネル干渉および同一チャネル干渉は、集合的に干渉成分を形成する。前述のように、干渉成分は、通信されたデータシーケンスの情報コンテンツの回復に干渉する。受信シーケンスに含まれる干渉を抑制または補償する努力がなされている。
【００４５】
モバイルステーションの受信部分、すなわち受信チェーンが、図１において示される。受信部分は、ＲＦ（無線周波数）要素３４を含み、該ＲＦ要素は、一旦アンテナ３６によって電気的な形式に変換されると、受信シーケンスの指示において動作する。ＲＦ要素は、例えば、無線周波数エネルギーをベースバンドレベルに下方変換する、下方変換回路をさらに表す。受信チェーンは、受信器フィルタ３８と、フィルタの通過帯域を超える受信信号の成分部分を抑制する、広帯域帯域幅フィルタとをさらに含む。フィルタは、単一の要素として示されるが、例えば、アナログフィルタおよびデジタルフィルタの組み合わせとして形成され、それらのフィルタは、ともにフィルタ要素３８のタスク帯域を規定する。
【００４６】
受信器フィルタ３８によって通過された信号は、ここではライン４２上でＩ／Ｑサンプルを含み、デローテーション（ｄｅｒｏｔａｔｉｏｎ）要素４４に提供される。デローテーション動作は、デローテータ（ｄｅｒｏｔａｔｏｒ）によって行われ、デローテーションされた値ｘ（ｎ）は、ライン４６上で生成される。ライン４６は、適応入力ノイズ白色化フィルタ、すなわち本発明の実施形態のＩＮＷＦアセンブリ４８と、チャネル推定器５２とに延びている。
【００４７】
概して、ＩＮＷＦアセンブリは、受信シーケンスの干渉成分に依存して、適用された信号に白色化ノイズを加えるために、選択可能なように動作する。ＩＮＷＦの動作は、以下により詳細に記述される。また、フィルタ出力信号は、ＧＭＳＫ（ガウス最小シフトキーイング）イコライザなどのイコライザ５８に延びるライン５６上で生成される。シンボル値のソフト決定は、イコライザによってなされる。決定された値を表す値は、ライン６２上で生成され、他の受信チェーン要素（不図示）に提供される。
【００４８】
チャネル推定器５２は、チャネル推定と、ライン４６上で提供される入力値に応答するチャネルインパルス応答（ＣＩＲ）と、さらにライン６４上で提供されるトレーニングシーケンス（ＴＳ）とを形成する。チャネルインパルス応答値およびタイミングオフセット値ｎ０は、ここでは、それぞれライン６６および６８を用いて表され、ＩＮＷＦアセンブリに提供される。
【００４９】
動作において、ＩＮＷＦアセンブリは、入力干渉およびノイズを白色化することによって、隣接チャネル干渉を抑制するように作用する、信号白色化を提供するように動作する。白色化は、受信シーケンスが、そのような付加が役立つ特性であるときのみに提供される。低い干渉レベルが存在するときには、ＩＮＷＦは、例えばスイッチオフまたはオフにされることによって、フィルタに適用された信号の全ての成分を通過させる単一のフィルタとして機能することにより、白色化を提供しない。
【００５０】
図２は、図１に示されるモバイルステーション１２の受信部分の一部を形成する、ＩＮＷＦアセンブリ４８を例証する。サンプリングされた値ｘ（ｎ）は、ライン４２上のアセンブリに提供されるように、再び示される。アセンブリは、ここではノイズサンプル推定要素７４、自己相関推定要素７６、フィルタ特性選択器７８およびフィルタ要素８２を含んで示される。ＩＮＷＦアセンブリの要素は、機能的に表され、任意の所望の方法、例えば処理回路によって実行可能なアルゴリズムによって、実装可能である。
【００５１】
ノイズサンプル推定要素７４もまた、トレーニングシーケンス、チャネルインパルス応答およびタイミングオフセットの指示を受信し、ここでは、それぞれライン５４、６６および６８を介して受信する。ノイズサンプル推定オペレータは、受信したシーケンスのノイズ推定ｗ（ｎ）を形成する。ノイズ推定は、ここではライン８４を介して自己相関推定要素７６に提供される。自己相関は、要素７６によって行われ、自己相関推定の値ｒ（ｎ）は、ここではライン８６を介して表され、フィルタ特性選択器７８に提供される。一実装において、自己相関推定は、サンプルｒ（１）の絶対値として推定される。
【００５２】
フィルタ特性選択器７８は、ここではフィルタ要素８２である、ＩＮＷＦの特性を選択するように動作する。フィルタ特性は、自己相関推定と、ここではライン８８を介して提供される閾値との比較に応答して選択される。選択されるフィルタ特性は、自己相関推定が閾値より大きいか、または大きくないかという決定に依存する。
【００５３】
自己相関推定が閾値を下回る場合には、受信シーケンスにおける低いレベルの干渉を表し、フィルタ特性選択器は、次いで白色化ノイズが加えられない、すなわちｂ＝１となるようにフィルタ特性を選択する。逆に、自己相関推定が閾値よりも大きい場合には、選択器によってなされるフィルタ特性選択は、フィルタ要素が、受信シーケンスに白色ノイズを導入するように動作可能にさせる選択となる。すなわち、ｂ＝［１；ａ］となる。ｂの値は、ここではライン９２を介して、フィルタ要素８２に提供され、該フィルタは、それに応じた方法で動作される。フィルタ要素はまた、ライン９６上のチャネルインパルス応答（ＣＩＲ）推定とともに、ライン４２上で受信シーケンスを受信し、ライン９４上で出力シーケンスを形成するように結合される。
【００５４】
ＩＮＷＦの要素７４〜要素８２の数学上の表現は、以下の通りである。チャネル応答が、トレーニングシーケンスを介して推定された後で、ノイズサンプルは、受信した信号から、再変調されたトレーニングシーケンスを減算することによって推定され得る。すなわち、
【００５５】
【数１】
2008199602.tif 000003
式中、ｗ（ｎ）は、ノイズサンプル推定であり、ｘ（ｎ）は、受信したサンプルであり、ｈ（ｋ）は、チャネルインパルス応答（ＣＩＲ）推定であり、ｓ（ｋ）は公知のトレーニングシーケンス（ＴＳ）である。ｎ０は、ＴＳ部分の受信したサンプルのタイミングオフセットである。Ｌは、ＣＩＲの長さである。０＝ｎ＝Ｐ−Ｌであり、Ｐは、ＴＳの長さである。ノイズサンプルは、線形予測誤差フィルタ（ＬＰＦ）によって白色化され得、その係数は、ｂ＝［１；ａ］であり、ａは、正規方程式
【００５６】
【数２】
2008199602.tif 000004
の解である。式中、
【００５７】
【数３】
2008199602.tif 000005
である。Ｍは、ＬＰＦの次数であり、ｒ（ｍ）は、ノイズサンプルの自己相関の推定である。
【００５８】
【数４】
2008199602.tif 000006
図３は、概して１１２で示される、本発明の実施形態の動作のプロセスを表す、プロセスを例証する。最初に、ブロック１１４によって示されるように、受信シーケンスが、受信ステーションにおいて検出される。次いで、ブロック１１６によって示されるように、ノイズサンプル推定が形成される。ノイズサンプルは、受信したシーケンスのノイズ成分を示す。次いで、ブロック１１８によって示されるように、自己相関推定が、ノイズサンプル推定から形成される。決定ブロック１２２によって示されるように、推定された自己相関は、閾値を上回るか否かに関する決定がなされる。上回る場合には、ブロック１２４へのイエス分岐が取られ、ＩＮＷＦのフィルタ特性は、受信シーケンスに白色ノイズを挿入するように選択される。逆に、推定された自己相関レベルが、閾値を下回る場合には、ブロック１２６へのノー分岐が、取られ、フィルタ特性は、単一の値、すなわちｂ＝１となるように選択される。ブロック１２４およびブロック１２６からブロック１２８への経路が取られ、ＩＮＷＦは、選択されたフィルタ特性に従って動作される。
【００５９】
フィルタ特性は、受信シーケンスの情報コンテンツの回復を容易にするために最良の方法で選択される。受信シーケンスが顕著な干渉成分を含むときには、フィルタは、白色ノイズを挿入させられる。そうでない場合には、フィルタは、動作可能ではないように、すなわち単一のフィルタ応答を提示させられる。適応入力ノイズ白色化フィルタは、広帯域帯域の通過受信器フィルタとともに用いられることによって、イコライズ動作を形成する受信したシーケンスの成分を、イコライザに最良に提供する。
【図面の簡単な説明】
【００６０】
【図１】図１は、本発明の実施形態が動作可能な無線通信システムの機能性ブロック図を例証する。
【図２】図２は、本発明の実施形態の適応入力ノイズ白色化フィルタアセンブリの機能性ブロック図を例証する。
【図３】図３は、本発明の実施形態の動作のプロセスを表す、プロセス図を例証する。
【符号の説明】
【００６１】
１０  通信システム
１２、１６  ステーション
１４  ネットワークインフラストラクチャ
３４  ＲＦ要素
３８  フィルタ要素
４４  デローテーション要素
４８  ＩＮＷＦアセンブリ
５２  チャネル推定器
５８  イコライザ
【図１】
2008199602.tif 000007
【図２】
2008199602.tif 000008
【図３】
2008199602.tif 000009